(57)【要約】      （修正有）【課題】人体の腹部および腰部における整形や防護のための機能のほか、胸部や背部の防護による刃傷防止のための護身機能も兼ね備えるようにした人体胴部被覆用具を提供する。【解決手段】人体Ａの胴部に巻き付けるため通気性を有するとともに弾性を具えた硬質の帯状体Ｂが、その両端部に面ファスナーのごとき結合部材Ｃを備えており、帯状体Ｂには、人体Ａの下腹部を覆うための硬質の下腹部用弯曲板状張出し部３と、人体Ａの胸部の左右部分をそれぞれ覆うことができるように上方へ張り出した硬質の胸部用弯曲板状張出し部４ａ，４ｂとが設けられるほか、人体Ａの背面を覆うための硬質の背面上部用板状張出し部５ａと硬質の背面下部用板状張出し部５ｂとが設けられる。また、必要に応じ、硬質のむち打ちリハビリ用張出し部７が装着される。【選択図】図１
0003142488.tif 000002
【実用新案登録請求の範囲】
【請求項１】
人体の胴部に巻き付けるべく通気性を有するとともに弾性を具えた硬質の帯状体において、人体の下腹部を覆うべく下方へ張り出した硬質の下腹部用弯曲板状張出し部と、人体の胸部を覆うべく上方へ張り出すとともに前方へ凸状に弯曲した硬質の胸部用弯曲板状張出し部と、人体の背面における腰下方部を覆うべく下方へ張り出した硬質の背面下部用板状張出し部とを備えるとともに、上記帯状体の両端部を相互に係脱可能に結合して同帯状体を人体へ装着するための係脱式結合部材が設けられており、上記の下腹部用弯曲板状張出し部，胸部用弯曲板状張出し部および背面下部用板状張出し部の各根元部分における両側に、屈曲性を増加させるための凹入部分が形成されていることを特徴とする、人体胴部被覆用具。
【請求項２】
上記帯状体が、人体の背面における腰上方部を覆うべく上記帯状体から上方へ張り出した硬質の背面上部用板状張出し部を備えて、同張出し部の根元部分における両側に、屈曲性を増加させるための凹入部分が形成されていることを特徴とする、請求項１に記載の人体胴部被覆用具。
【請求項３】
上記背面上部用板状張出し部の両側部にそれぞれ取り付けられて同板状張出し部を人体へ固縛するための一対の条体が設けられていることを特徴とする、請求項２に記載の人体胴部被覆用具。
【請求項４】
上記背面上部用板状張出し部に、頸部および後頭部を支承可能の硬質のむち打ちリハビリ用張出し部が着脱可能に接続されていることを特徴とする、請求項２または３に記載の人体胴部被覆用具。
【請求項５】
上記帯状体が、硬質の通気性芯材を具えて、同芯材の表面および裏面に柔軟な通気性被覆層を具えていることを特徴とする、請求項１〜４のいずれか１つに記載の人体胴部被覆用具。
【考案の詳細な説明】
【技術分野】
【０００１】
本考案は、日常生活において肌着のように用いることにより、人体の整形と護身とに役立つようにした被覆用具に関し、特に身体に装着するための通気性について適切な配慮を施しながら、整体および護身のための形状保持および強度についても十分な機能を具備できるようにした人体胴部被覆用具に関する。
【背景技術】
【０００２】
一般に、人体に装着する整体のための用具としてはコルセットなどが知られており、腰痛対策のためのコルセットや骨盤矯正用のベルトなどが開発されている。
しかしながら、人体の胸部や腹部のほか、背部や腰部についても整体のために総合的に対策を立てられるようにし、かつ刃物を持った暴漢に襲われた際の護身用具としても役立つようにしたものは見当たらない。
【特許文献１】特開２００２−１４３２０５号公報
【特許文献２】登録実用新案第３０１１９８７号公報
【特許文献３】登録実用新案第３０４６８０３号公報
【考案の開示】
【考案が解決しようとする課題】
【０００３】
本考案は、人体の腹部および腰部における整体や防護のための機能のほか、胸部や背部の防護による刃傷防止のための護身機能も兼ね備えるようにした人体胴部被覆用具を提供することを課題とする。
【課題を解決するための手段】
【０００４】
前述の課題を解決するため、本考案の人体胴部被覆用具は、人体の胴部に巻き付けるべく通気性を有するとともに弾性を具えた硬質の帯状体において、人体の下腹部を覆うべく下方へ張り出した硬質の下腹部用弯曲板状張出し部と、人体の胸部を覆うべく上方へ張り出した硬質の胸部用弯曲板状張出し部と、人体の背面における腰下方部を覆うべく下方へ張り出した硬質の背面下部用板状張出し部とを備えるとともに、上記帯状体の両端部を相互に係脱可能に結合して同帯状体を人体へ装着するための係脱式結合部材が設けられており、上記の下腹部用弯曲板状張出し部，胸部用弯曲板状張出し部および背面下部用板状張出し部の各根元部分における両側に、屈曲性を増加させるための凹入部分が形成されていることを特徴としている。
【０００５】
また、本考案の人体胴部被覆用具は、上記帯状体が、人体の背面における腰上方部を覆うべく上記帯状体から上方へ張り出した硬質の背面上部用板状張出し部を備えて、同張出し部の根元部分における両側に、屈曲性を増加させるための凹入部分が形成されていることを特徴としている。
【０００６】
さらに、本考案の人体胴部被覆用具は、上記背面上部用板状張出し部の両側部にそれぞれ取り付けられて同板状張出し部を人体へ固縛するための一対の条体が設けられていることを特徴としている。
【０００７】
また、本考案の人体胴部被覆用具は、上記背面上部用板状張出し部に、頸部および後頭部を支承可能の硬質のむち打ちリハビリ用張出し部が着脱可能に接続されていることを特徴としている。
【０００８】
さらに、本考案の人体胴部被覆用具は、上記帯状体が、硬質の通気性芯材を具えて、同芯材の表面および裏面に柔軟な通気性被覆層を具えていることを特徴としている。
【考案の効果】
【０００９】
上述の本考案の人体胴部被覆用具では、上記硬質の帯状体を人体の胴部に巻き付けて同帯状体の両端部における面ファスナーのごとき係脱式結合部材により容易に人体への装着が行えるようになり、このようにして胴部および下腹部に当てがわれた硬質の帯状体および下腹部用弯曲板状張出し部により、腰部や下腹部の整形および刃傷防止のための機能を発揮することが可能になる。
【００１０】
また、人体の胸部を覆うべく上方へ張り出すとともに前方へ凸状に弯曲した硬質の胸部用弯曲板状張出し部により、胸部の整形および刃傷防止のための機能を発揮することが可能になる。
【００１１】
さらに、人体の背面において、腰下方部を覆う硬質の背面下部用板状張出し部により、前記胴部に巻き付けられる帯状体の機能と相まって、腰部の整形および刃傷防止の機能を発揮することが可能になる。
【００１２】
そして、上記の下腹部用弯曲板状張出し部，胸部用弯曲板状張出し部ならびに背面下部用板状張出し部の各根元部分における両側に、屈曲性を増加させるための凹入部分が形成されることにより、上記帯状体における上記の各張出し部の屈曲作用が人体各部の動きに応じて適切に行われるようになる効果が得られる。
【００１３】
また、上記帯状体が、人体の背面における腰上方部を覆うべく上記帯状体から上方へ張り出した硬質の背面上部用板状張出し部を備えて、同張出し部の根元部分における両側に、屈曲性を増加させるための凹入部分が形成されていると、同凹入部分を介して人体背面上部に弾性的に当接する板状張出し部により、人体背面上部における整形および防護の機能が適切に発揮されるようになる。
【００１４】
さらに、上記背面上部用板状張出し部の両側部にそれぞれ取り付けられて同板状張出し部を人体へ固縛するための一対の条体が設けられることにより、人体への装着時に、上記条体を用いて簡便な固縛操作を行うことが可能になる。
【００１５】
そして、上記背面上部用板状張出し部に、人体の頸部および後頭部を支承可能の硬質のむち打ちリハビリ用張出し部が着脱可能に接続されると、必要に応じて同張出し部の装着によりむち打ちリハビリが適切に行われるようになる。
【００１６】
また、上記帯状体が、硬質の通気性芯材の表面に柔軟な通気性被覆層を具えることにより、同帯状体の使用時における肌触りが大幅に向上するようになる。
【実施例】
【００１７】
図１は本考案の一実施例としての人体胴部被覆用具を示す斜視図、図２は同用具の構成材の断面図、図３は同用具を人体へ装着した状態を示す前面図、図４は同用具を人体に装着した状態を示す背面図である。
【００１８】
図１，図３および図４に示すように、本実施例の人体胴部被覆用具は、人体Ａの胴部に巻き付けることができるように、弾性を具えた硬質の帯状体Ｂとして構成されており、その構成材としては、図２に示すように、０．５ｍｍ厚程度のステンレス鋼板やチタン材の薄板あるいは炭素繊維材の薄板のごとき硬質で弾性を有する板材に多数の通気孔１ａを設けるようにした芯材１を採用して、同芯材１の表面および裏面に織物のごとき柔軟な通気性被覆層２を施し、このようにして芯材１を被覆層２でくるむようにしたものが用いられる。 
【００１９】
そして、図１に示すように帯状体Ｂの両端部には、同帯状体Ｂを人体Ａへ装着するための係脱式結合部材として、面ファスナーＣが、操作しやすいように人体Ａの右前方の部分に位置するように設けられている。
【００２０】
また、図１，３，４に示すように、帯状体Ｂには、人体Ａの胴部へ巻き付けた際に、人体Ａの下腹部を覆って抑圧できるように下方へ張り出した硬質の下腹部用弯曲板状張出し部３と、人体Ａの胸部の左右部分をそれぞれ覆うことができるように上方へ張り出すとともに前方へ凸状に弯曲した硬質の弯曲板状張出し部として、左胸部用弯曲板状張出し部４ａおよび右胸部用弯曲板状張出し部４ｂとが設けられるほか、人体Ａの背面における腰上方部を覆うことができるように上方へ張り出した硬質の背面上部用板状張出し部５ａと、人体Ａの背面における腰下方部を覆うことができるように下方へ張り出した硬質の背面下部用板状張出し部５ｂとが設けられている。
【００２１】
なお、男性用のものでは、左胸部用弯曲板状張出し部４ａおよび右胸部用弯曲板状張出し部４ｂとを、図１に破線Ｈで示すように一体構造とすることにより、一体型の胸部用弯曲板状張出し部として設けるようにしてもよい。
【００２２】
そして、背面上部用板状張出し部５ａの上部両側には、同張出し部５ａを人体Ａへ固縛するための紐のごとき一対の条体６ａ，６ｂが取り付けられている。
【００２３】
さらに、本実施例の人体胴部被覆用具では、下腹部用弯曲板状張出し部３，左胸部用弯曲板状張出し部４ａ，右胸部用板状弯曲張出し部４ｂ，背面上部用板状張出し部５ａおよび背面下部用板状張出し部５ｂの各根元部分における両側に、それぞれ屈曲性を増加させるための凹入部分ｅが形成されている。なお、この凹入部分としては、図示のごとく切込みｆを採用してもよく、その場合は、応力の集中を回避するため、切込みｆの先端に丸形終端部ｈが形成される。
【００２４】
また、背面上部用板状張出し部５ａの後側には、人体Ａの頸部および後頭部を支承可能のむち打ちリハビリ用張出し部７の下端部７ａを上方から挿入して接続するためのポケット８が形成されている。なお、リハビリ用張出し部７の材質としては、弾性を有する硬質のものが用いられる。
【００２５】
上述の本実施例の人体胴部被覆用具では、硬質の帯状体Ｂを人体Ａの胴部に巻き付けて、同帯状体Ｂの両端部における面ファスナーＣにより容易に人体Ａへの装着が行えるようになり、このようにして人体Ａの胴部および下腹部に当てがわれた硬質の帯状体Ｂおよび下腹部用弯曲板状張出し部３により、腰部や下腹部の整形および刃傷防止の機能を発揮することが可能になる。
【００２６】
また、人体胸部の左右部分をそれぞれ覆う左胸部用弯曲板状張出し部４ａおよび右胸部用弯曲板状張出し部４ｂにより、胸部の整形および心臓や肺に対する刃傷の防止の機能を発揮することが可能になる。なお、左胸部用弯曲板状張出し部４ａと右胸部用弯曲板状張出し部４ｂとが一体型の胸部用弯曲板状張出し部として設けられる場合も、同様の作用硬化を得ることが期待される。
【００２７】
さらに、人体Ａの背面において、腰上方部を覆う硬質の背面上部用板状張出し部５ａと、腰下方部を覆う硬質の背面下部用板状張出し部５ｂとにより、前記胴部に巻き付けられる帯状体Ｂの機能と相まって、腰部全体としての整形および刃傷防止の機能を発揮することが可能になる。
【００２８】
そして、下腹部用弯曲板状張出し部３，左胸部用および右胸部用の各弯曲板状張出し部４ａ，４ｂならびに背面上部用および背面下部用の各板状張出し部５ａ，５ｂの各根元部分における両側に、屈曲性を増加させるための凹入部分ｅが形成されることにより、帯状体Ｂにおける各張出し部３，４ａ，４ｂ，５ａ，５ｂの屈曲作用が適切に行われるようになる効果が得られる。
【００２９】
また、背面上部用板状張出し部５ａの両側部にそれぞれ取り付けられて同板状張出し部５ａを人体Ａへ固縛するための一対の条体６ａ，６ｂが設けられることにより、人体Ａへの装着時に、条体６ａ，６ｂを用いて背面上部用板状張出し部５ａの固縛操作を簡便に行うことが可能になる。
【００３０】
そして、背面上部用板状張出し部５ａに、頸部および後頭部を支承可能の硬質のむち打ちリハビリ用張出し部７が着脱可能に接続されることにより、必要に応じ同張出し部７の装着を行って、むち打ちリハビリが適切に行われるようになる。
【００３１】
さらに、帯状体Ｂが、硬質の通気性芯材１の表面に柔軟な通気性被覆層２を具えることにより、同帯状体Ｂの使用時における肌触りが大幅に向上するようになる。
【００３２】
そして、柔軟な通気性被覆層２として織物が採用されることにより、夏季においてもその使用感が十分に高められるようになる。
【００３３】
また、帯状体Ｂの芯材１として、多数の通気用小孔１ａを有するステンレス鋼の薄板が採用されると、十分な強靭性と通気性とを兼ね備えて、快い使用感と耐久性とが得られるようになる。
【００３４】
さらに、帯状体Ｂの芯材１として、チタン材の薄板や炭素繊維材の薄板に多数の通気用小孔を備えるようにしたものが採用される場合は、十分な強度と通気性とが得られるほか、大幅な軽量化をもたらす効果も得られるようになる。
【図面の簡単な説明】
【００３５】
【図１】本考案の一実施例としての人体胴部被覆用具を示す斜視図である。
【図２】同用具の構成材の断面図である。
【図３】同用具を人体へ装着した状態を示す前面図である。
【図４】同用具を人体に装着した状態を示す背面図である。
【符号の説明】
【００３６】
１  芯材
１ａ  通気孔
２  被覆層
３  下腹部用弯曲板状張出し部
４ａ  左胸部用弯曲板状張出し部
４ｂ  右胸部用弯曲板状張出し部
５ａ  背面上部用板状張出し部
５ｂ  背面下部用板状張出し部
６ａ，６ｂ  条体
７  むち打ちリハビリ用張出し部
７ａ  下端部
８  ポケット
Ａ  人体
Ｂ  帯状体
Ｃ  面ファスナー
ｅ  凹入部分
ｆ  切込み
ｈ  丸形終端部
【図１】
0003142488.tif 000003
【図２】
0003142488.tif 000004
【図３】
0003142488.tif 000005
【図４】
0003142488.tif 000006